(57)【要約】【課題】屋内外を問わず、帯電状態の話者がマイクロホンに近づいたり触ったりしても電撃を受けないマイクロホンの設置構造の提供。【解決手段】マイクロホン１１のスタンド１３を構成するケース部部１４を導電性金属材で形成し、該ケース部１４をマイクロホン１１側からシールド用として引き出されているマイクコード１５の接地線１５ａと電気的に接続させるとともに、演台２１上のケース部載置面２２を含んで話者Ｈが最初に手指ｆを触れる接触想定部位２３にその導電抵抗が１０５〜１０８Ωである導電化処理部２４を設け、該導電化処理部２４とケース部１４とを電気的に接続させ、話者Ｈが接触想定部位２３に触った際に電荷を徐々に放電してその帯電状態を軽減することで、マイクロホン１１に触っても電撃を受けないようにした。【選択図】図１
2010183311.tif 000002
【特許請求の範囲】
【請求項１】
マイクロホンにおけるスタンドの構成部材であるケース部を導電性金属材で形成し、
該ケース部を前記マイクロホン側からシールド用として引き出されているマイクコードの接地線と電気的に接続させるとともに、
少なくとも演台上におけるケース部載置面を含んで話者が最初に手を触れる接触想定部位にその導電抵抗が１０５〜１０８Ω程度である導電化処理部を設け、該導電化処理部と前記ケース部とを電気的に接続させたことを特徴とするマイクロホンの設置構造。
【請求項２】
前記導電化処理部と前記ケース部との電気的な接続は、マイクコードの前記シールド線を前記導電化処理部に接続させて行った請求項１に記載のマイクロホンの設置構造。
【請求項３】
前記導電化処理部と前記ケース部との電気的な接続は、該ケース部と前記ケース部載置面との間に弾性導電部材を介在配置して行った請求項１に記載のマイクロホンの設置構造。
【発明の詳細な説明】
【技術分野】
【０００１】
本発明は、帯電状態にある話者が演台に設置されているマイクロホンに近づいたり、これに触ったりした際に電撃を受けないようにするためのマイクロホンの設置構造に関する技術である。
【背景技術】
【０００２】
講演会などのような多数の聴衆がいる会場においては、演台上に例えばグースネックタイプなどのマイクロホンが設置されており、登壇した話者がこれを用いて話をすることになる。
【０００３】
この場合、話者は、自席からマイクロホンが設置されている演台が位置する場所にまで移動する際、カーペット等の敷物の上を歩行することになり、特に冬季などのような乾燥時期において接触剥離帯電により人体が帯電状態となる。
【０００４】
このように帯電状態にある話者は、マイクロホンに近づくと帯電体としての人体との間で火花放電が発生して電撃を受けたり、マイクロホンに直に触った際に電撃を受けたりして不快な思いをさせられることになる。
【０００５】
本出願人は、このような場合においても電撃を受けないようにしたマイクロホンを、下記特許文献１として既に提案している。
【先行技術文献】
【特許文献】
【０００６】
【特許文献１】特開２００６−１９８５８号公報
【０００７】
上記特許文献１の開示技術は、グースネックタイプのマイクロホンに適用されるものであり、話者がマイク側を口に近づけるために触ることになる可撓性パイプ部分に短繊維を静電植毛したフロック層を設け、該フロック層に帯電防止処理を施すことで、帯電体である話者が触ってもゆっくりと電荷移動をさせて放電速度を緩慢化することにより上記電撃を受けないようにしたものである。
【発明の概要】
【発明が解決しようとする課題】
【０００８】
しかし、上記特許文献１の開示技術は、あくまでもグースネックタイプのマイクロホンにおける可撓性パイプ部分にフロック層を設け、該フロック層に帯電防止処理を施したものであり、マイクロホンに接触する前に人体側の帯電を軽減することはできないという不都合があった。
【０００９】
この場合、人体に対する帯電防止策としては、講演会などの会場内を乾燥させないように湿度コントロールするとともに、話者の靴にカーペットなどの敷物と接触剥離帯電しない材質のものを選定して使用することも、一応は有効である。
【００１０】
しかし、冬季の屋外に演台が設置されるような場合には、湿度をコントロールすることが不可能であり、さらには、靴の材質や導電抵抗を賓客である話者に対し指定することも困難であることから、人体が帯電するのを効果的に防止ことはできないことになる。
【００１１】
本発明は、従来技術の上記課題に鑑み、話者に対し靴の材質や導電抵抗を指定することなく、屋内外のいずれであっても帯電状態にある話者がマイクロホンに近づいた際に帯電体としての人体との間で火花放電が発生して電撃を受けたり、マイクロホンに触った際に電撃を受けたりしないようにすることができるマイクロホンの設置構造を提供することを目的とする。
【課題を解決するための手段】
【００１２】
本発明は、上記目的を達成すべくなされたものであり、マイクロホンにおけるスタンドの構成部材であるケース部を導電性金属材で形成し、該ケース部を前記マイクロホン側からシールド用として引き出されているマイクコードの接地線と電気的に接続させるとともに、少なくとも演台上におけるケース部載置面を含んで話者が最初に手を触れる接触想定部位にその導電抵抗が１０５〜１０８Ω程度である導電化処理部を設け、該導電化処理部と前記ケース部とを電気的に接続させたことを最も主要な特徴とする。
【００１３】
この場合、前記導電化処理部と前記ケース部との電気的な接続は、マイクコードの前記シールド線を前記導電化処理部に接続させて行ったり、前記ケース部と前記ケース部載置面との間に導電性弾性材を介在配置して行うことができる。
【発明の効果】
【００１４】
請求項１に係る発明によれば、演台上におけるケース部載置面を含んで話者が最初に手指を触れる接触想定部位に導電化処理部が形成されているので、話者が演台に設置されているマイクロホンに近づく過程において接触想定部位にまず手指が触れることになり、帯電体としての話者は感電することなくその帯電状態を軽減した後に、電撃を受けることなく気持ちよくマイクロホンに触れてこれを使用することができる。
【００１５】
請求項２に係る発明によれば、導電化処理部とケース部との電気的な接続は、マイクコードのシールド線を導電化処理部に結線する配線構造のもとで行われているので、相互の電気的な接続をより確実なものとすることができる。
【００１６】
請求項３に係る発明によれば、導電化処理部とケース部との電気的な接続は、ケース部とケース部載置面との間に単に導電性弾性材を介在配置するという非配線構造のもとで行われているので、より簡単な作業のもとで電気的に接続できるほか、導電性弾性材を介してマイクロホンを防振できるという副次的な効果を得ることもできる。
【図面の簡単な説明】
【００１７】
【図１】本発明の一例を模式的に示す説明図。
【図２】本発明の他例を示す説明図。
【発明を実施するための形態】
【００１８】
図１は、本発明の一例を模式的に示す説明図であり、頂端にマイク１２を備えた例えばグースネックタイプのマイクロホン１１におけるスタンド１３の構成部材であるケース部１４は、適宜の導電性金属を用いて形成されており、マイクロホン１１側を含む外表面の全体が電気的に導通された状態にある。
【００１９】
また、該ケース部１４は、マイクロホン１１側からシールド用として引き出されているマイクコード１５の接地線１５ａと電気的に接続されている。
【００２０】
しかも、演台２１上にあってマイクロホン１１におけるケース部１４側が載置されるケース部載置面２２を含んで話者Ｈが最初に手指ｆを触れる接触想定部位２３には、予めその導電抵抗が１０５〜１０８Ωである導電化処理部２４が設けられている。
【００２１】
この場合、該導電化処理部２４は、導電抵抗が１０５〜１０８Ω程度の導電性シート２５を少なくとも接触想定部位２３に敷設したり、導電抵抗が１０５〜１０８Ω程度の適宜の導電剤（例えば「コルコート株式会社」の「コルコート２００」等）を少なくとも接触想定部位２３に塗布したりすることで設けることができる。
【００２２】
また、導電化処理部２４は、所望により接触想定部位２３を含む演台２１の表出面全体に導電抵抗が１０５〜１０８Ω程度の適宜の導電剤（例えば「コルコート株式会社」の「コルコート２００」等）を塗布することで形成することもできる。
【００２３】
しかも、このようにして形成される導電化処理部２４には、マイクロホン１１側から引き出されているマイクコード１５の接地線１５ａも電気的に接続されている。
【００２４】
一方、図２は、本発明の他例を示す説明図であり、この例においても頂端にマイク１２を備えるグースネックタイプのマイクロホン１１におけるスタンド１３の構成部材であるケース部１４は、適宜の導電性金属を用いて形成されており、マイクロホン１１側を含む外表面の全体が電気的に導通された状態にある。
【００２５】
また、ケース部１４は、マイクロホン１１側からシールド用として引き出されているマイクコード１５の接地線１５ａと電気的に接続されている。
【００２６】
しかも、演台２１上にあってマイクロホン１１におけるケース部１４側が載置されるケース部載置面２２を含んで図１に示すように話者Ｈが最初に手指ｆを触れる接触想定部位２３には、予めその導電抵抗が１０５〜１０８Ωである導電化処理部２４が設けられている。
【００２７】
また、この例においても、導電化処理部２４は、導電抵抗が１０５〜１０８Ω程度の導電性シート２５を図２に示すように接触想定部位２３に敷設したり、導電抵抗が１０５〜１０８Ω程度の適宜の導電剤を接触想定部位２３に塗布したりすることで設けることができる。
【００２８】
さらに、ケース部１４とケース部載置面２２との間には、導電布や導電クッションなどからなる導電性弾性材２６を介在させることで、導電化処理部２４である導電性シート２５がケース部１４側と電気的に接続されている。
【００２９】
次に、本発明の作用・効果を説明すれば、通常、話者Ｈは、自席からマイクロホン１１が設置されている演台２１が位置する場所にまで移動する際、図１に示されているようにカーペット等の敷物Ｃの上を靴Ｓを履いて歩行することになり、特に冬季などのような乾燥時期において接触剥離帯電により人体が帯電するに至る。
【００３０】
このような帯電状態にある話者Ｈは、演台２１上におけるケース部載置面２２を含んで話者Ｈが最初に手指ｆを触れる接触想定部位２３に導電化処理部２４が形成されていることから、演台２１に設置されているマイクロホン１１に近づく過程において接触想定部位２３に手指ｆを含む手側がまず触れることになる。
【００３１】
このとき、接触想定部位２３には、導電性シート２５などの導電抵抗が１０５〜１０８Ω程度の導電化処理部２４が設けられているので、帯電体である話者Ｈの手指ｆが触れた際に、その電荷を導電化処理部２４側に徐々に移動させ、該導電化処理部２４からマイクコード１５の接地線１５ａへと移動させることで、話者Ｈの帯電状態を軽減させてやることができる。
【００３２】
このようにして帯電状態が軽減された後の話者Ｈは、既に電荷が移動しているのでマイクロホン１１に手指ｆを近づけても火花放電が発生して電撃を受けたり、マイクロホン１１に直に触った際に電撃を受けたりすることなく、マイク１２側を不快感なく口元に引き寄せることができる。
【００３３】
しかも、導電性シート２５などの導電化処理部２４とケース部１４との電気的な接続が、図１に示すようにマイクコード１５のシールド線１５ａを介した結線構造のもとで行われている場合には、相互間の電気的な接続をより確実なものとすることができる。
【００３４】
さらに、導電化処理部２４とケース部１４との電気的な接続が、図２に示すように該ケース部１４とケース部載置面２２との間に単に導電布や導電クッションからなる導電性弾性材２６を介在配置するという非配線構造のもとで行われている場合には、ので、より簡単な作業のもとで電気的に接続させることができるほか、導電性弾性材２６を介してマイクロホン１１を防振できるという副次的な効果を得ることもできる。
【００３５】
以上は、本発明を図示例に基づいて説明したものであり、その具体的な構成はこれに限定されるものではない。例えば、本発明は、フースネックタイプ以外の適宜のマイクロホンに適用することもできる。また、演台２１には、図示例以外の適宜構造のマイクロホン支持台も含まれる。
【符号の説明】
【００３６】
１１  マイクロホン
１２  マイク
１３  スタンド
１４  ケース部
１５  マイクコード
１５ａ  接地線
２１  演台
２２  ケース部載置面
２３  接触想定部位
２４  導電化処理部
２５  導電性シート
２６  導電性弾性材
Ｃ  敷物
Ｈ  話者
ｆ  手指
Ｓ  靴
【図１】
2010183311.tif 000003
【図２】
2010183311.tif 000004